(57)【要約】【課題】ホスト装置からファクシミリ機能装置に対するリセット指示およびファクシミリ機能装置からホスト装置へのスリープモード復帰通知等をＵＳＢインタフェースのみで可能とする画像処理装置および制御方法を提供する。【解決手段】ホスト装置とファクシミリ機能装置とをユニバーサルシリアルバスインタフェースを介して接続して、前記ホスト装置から前記ファクシミリ機能装置に対する制御指示および前記ファクシミリ機能装置から前記ホスト装置に対する制御通知の少なくとも一方を前記ユニバーサルシリアルバスインタフェースを介して行う制御手段を具備する。【選択図】　図１
2004112065.tif 000002
【特許請求の範囲】
【請求項１】
ホスト装置とファクシミリ機能装置とを有し、前記ホスト装置と前記ファクシミリ機能装置とをユニバーサルシリアルバスインタフェースを介して接続する画像処理装置において、
前記ホスト装置から前記ファクシミリ機能装置に対する制御指示および前記ファクシミリ機能装置から前記ホスト装置に対する制御通知の少なくとも一方を前記ユニバーサルシリアルバスインタフェースを介して行う制御手段
を具備することを特徴とする画像処理装置。
【請求項２】
前記ホスト装置から前記ファクシミリ機能装置に対する制御指示は、
前記ホスト装置から前記ファクシミリ機能装置に対するスリープモード移行指示であり、
前記ファクシミリ機能装置から前記ホスト装置に対する制御通知は、
前記ファクシミリ機能装置から前記ホスト装置に対するスリープモード復帰通知である
ことを特徴とする請求項１記載の画像処理装置。
【請求項３】
前記制御手段は、
前記ファクシミリ機能装置から前記ホスト装置に対するスリープモード復帰通知を前記ユニバーサルシリアルバスインタフェースのデータラインをプルアップ状態に切り替えることにより行う
ことを特徴とする請求項２記載の画像処理装置。
【請求項４】
前記制御手段は、
前記ファクシミリ機能装置から前記ホスト装置に対するスリープモード復帰通知を前記ユニバーサルシリアルバスインタフェースの電源ラインをハイレベルに切り替えることにより行う
ことを特徴とする請求項２記載の画像処理装置。
【請求項５】
前記ホスト装置から前記ファクシミリ機能装置に対する制御指示は、
前記ホスト装置から前記ファクシミリ機能装置に対するリセット指示である
ことを特徴とする請求項１記載の画像処理装置。
【請求項６】
前記制御手段は、
前記ホスト装置から前記ファクシミリ機能装置に対するリセット指示を前記ユニバーサルシリアルバスインタフェースの電源ラインをローレベルに切り替えることにより行う
ことを特徴とする請求項５記載の画像処理装置。
【請求項７】
前記ホスト装置から前記ファクシミリ機能装置に対する制御指示は、
前記ホスト装置から前記ファクシミリ機能装置に対するリセット指示であり、
前記ファクシミリ機能装置から前記ホスト装置に対する制御通知は、
前記ファクシミリ機能装置から前記ホスト装置に対するスリープモード復帰通知である
ことを特徴とする請求項１記載の画像処理装置。
【請求項８】
前記制御手段は、
前記ユニバーサルシリアルバスインタフェースの電源ラインの電位を切り替えることにより、前記ファクシミリ機能装置が通常動作時には前記ホスト装置から前記ファクシミリ機能装置に対するリセット指示を行い、前記ファクシミリ機能装置がスリープモード時には前記ファクシミリ機能装置から前記ホスト装置に対するスリープモード復帰通知を行う
ことを特徴とする請求項７記載の画像処理装置。
【請求項９】
ホスト装置とファクシミリ機能装置とを有し、前記ホスト装置と前記ファクシミリ機能装置とをユニバーサルシリアルバスインタフェースを介して接続する画像処理装置の制御方法において、
前記ホスト装置から前記ファクシミリ機能装置に対する制御指示および前記ファクシミリ機能装置から前記ホスト装置に対する制御通知の少なくとも一方を前記ユニバーサルシリアルバスインタフェースを介して行う
ことを特徴とする画像処理装置の制御方法。
【請求項１０】
前記ホスト装置から前記ファクシミリ機能装置に対する制御指示は、
前記ホスト装置から前記ファクシミリ機能装置に対するスリープモード移行指示であり、
前記ファクシミリ機能装置から前記ホスト装置に対する制御通知は、
前記ファクシミリ機能装置から前記ホスト装置に対するスリープモード復帰通知である
ことを特徴とする請求項９記載の画像処理装置の制御方法。
【請求項１１】
前記ファクシミリ機能装置から前記ホスト装置に対するスリープモード復帰通知は、前記ユニバーサルシリアルバスインタフェースのデータラインをプルアップ状態に切り替えることにより行われる
ことを特徴とする請求項１０記載の画像処理装置の制御方法。
【請求項１２】
前記ファクシミリ機能装置から前記ホスト装置に対するスリープモード復帰通知は、前記ユニバーサルシリアルバスインタフェースの電源ラインをハイレベルに切り替えることにより行われる
ことを特徴とする請求項１０記載の画像処理装置の制御方法。
【請求項１３】
前記ホスト装置から前記ファクシミリ機能装置に対する制御指示は、
前記ホスト装置から前記ファクシミリ機能装置に対するリセット指示である
ことを特徴とする請求項９記載の画像処理装置の制御方法。
【請求項１４】
前記ホスト装置から前記ファクシミリ機能装置に対するリセット指示は、前記ユニバーサルシリアルバスインタフェースの電源ラインをローレベルに切り替えることにより行われる
ことを特徴とする請求項１３記載の画像処理装置の制御方法。
【請求項１５】
前記ホスト装置から前記ファクシミリ機能装置に対する制御指示は、
前記ホスト装置から前記ファクシミリ機能装置に対するリセット指示であり、
前記ファクシミリ機能装置から前記ホスト装置に対する制御通知は、
前記ファクシミリ機能装置から前記ホスト装置に対するスリープモード復帰通知である
ことを特徴とする請求項９記載の画像処理装置の制御方法。
【請求項１６】
前記ユニバーサルシリアルバスインタフェースの電源ラインの電位を切り替えることにより、前記ファクシミリ機能装置が通常動作時には前記ホスト装置から前記ファクシミリ機能装置に対するリセット指示が行われ、前記ファクシミリ機能装置がスリープモード時には前記ファクシミリ機能装置から前記ホスト装置に対するスリープモード復帰通知が行われる
ことを特徴とする請求項１５記載の画像処理装置の制御方法。
【発明の詳細な説明】
【０００１】
【発明の属する技術分野】
本発明は画像処理装置および制御方法に関し、特に、省電力機能を備えるファクシミリ機能装置とホスト装置との間をＵＳＢインタフェースを介して接続した画像処理装置およびその制御方法に関する。
【０００２】
【従来の技術】
近年、１台のＯＡ機器に複数の機能を具備した複合機が普及し、ＯＡ機器の省スペース化および省電力化が図られている。
【０００３】
例えば、１台のＯＡ機器にコピー、電話、ファックス、プリンタおよびネットワーク機能等を搭載して複数の処理を行うことを可能にしたいわゆる複合機が知られている。
【０００４】
上記複合機においては、コピー、ファックス、プリンタ、ネットワーク等の機能装置（デバイス装置）と、これら機能装置を中央管理する制御装置（ホスト装置）とから構成されており、上記ホスト装置と各デバイス装置とはインタフェース装置を介して接続される。
【０００５】
ところで、上記ホスト装置と各デバイス装置を接続するインタフェースとしては、最近、ユニバーサルシリアルバス（ＵＳＢ）インタフェースを使用する構成が提案されている。
【０００６】
さて、複合機は、１台で複数の機能装置を稼動させることができる反面、常時複数の機能装置を稼動させることにより電力消費量も大きくなる。
【０００７】
そこで、一般的にホスト装置および各デバイス装置から成る複合機は、例えば使用者が一定期間、複合機のコピー、電話、ファックス、プリンタ等の機能装置を使用しない時は、各デバイス装置およびホスト装置に最小限の電源を供給することにより電力消費量を小さくするスリープモードへ自動的に移行するような省電力機能を備えている。
【０００８】
スリープモード状態の時には、例えばファックス等の機能装置に外部からファックス通信の着信信号が入力すると、ファックス機能装置（デバイス装置）およびホスト装置はスリープモードからリジュームモードへ自動的に移行するような機能を備えている。
【０００９】
図１１は、従来のホスト装置とファックス機能装置間とのインタフェースの要部の構成を示したブロック図である。
【００１０】
ホスト装置１１５０は、図示しないホスト装置および各機能装置全体を制御するためのプログラムやデータ等を記憶する記憶装置、各デバイス装置に電源を供給する電源装置等を具備している。
【００１１】
ファクシミリ機能装置１１１０は、画像読み取り機能、プリンタ機能を除くファクシミリ通信、画像メモリー管理、ユーザ登録等のファクシミリ動作の諸機能を実行する。
これらファクシミリ動作の諸機能を実行するために、ファクシミリ機能装置１１１０は図示しない制御プログラム等を記憶するＲＯＭ、宛先ダイヤルや通信記録等を記憶するＲＡＭ（不揮発生ＲＡＭを含む）、通信回線とのインタフェースをとるＮＣＵ、データの変復調を行うモデム等の装置、補助電源装置（電圧３．３Ｖ）等を具備している。　ファクシミリ機能装置１１１０は、一定期間、ファクシミリ機能装置が使われていない時は最小限の電源を供給することにより電力消費量を小さくするスリープモードへ自動的に移行し、ファクシミリ機能装置が使われる時は、スリープモードからリジュームモードへ自動的に移行するような省電力機能を具備している。
【００１２】
図１１に示すように、ホスト装置１１５０は、ホスト装置１１５０全体および各インタフェースを制御するホストコントローラ１１５３と、ホスト装置１１５０側のＵＳＢインタフェースを制御するＵＳＢコントローラ１１５２およびＵＳＢコネクター１１５１、ＵＳＢインタフェースとは他のインタフェースを制御するインタフェースコントローラ１１５４およびインタフェースコネクター１１５５を有する。
【００１３】
ファクシミリ機能装置１１１０は、ファクシミリ機能装置１１１０および各インタフェースを制御するデバイスコントローラ１１１３と、ファクシミリ機能装置１１１０側のＵＳＢインタフェースを制御するＵＳＢコントローラ１１１２およびＵＳＢコネクター１１１１、ＵＳＢインタフェースとは他のインタフェースを制御するインタフェースコントローラ１１１４およびインタフェースコネクター１１１５を有する。
【００１４】
ホスト装置１１５０のＵＳＢコネクター１１５１とファクシミリ機能装置１１１０のＵＳＢコネクター１１１１とはＵＳＢケーブルで繋がれており、ホスト装置１１５０のインタフェースコネクター１１５５とファクシミリ機能装置１１１０のインタフェースコネクター１１１５とはコネクターケーブルで繋がれている。
【００１５】
そして、従来のホスト装置１１５０とファクシミリ機能装置１１１０間とをインタフェース接続した複合機は、ホスト装置１１５０からファクシミリ機能装置１１１０に対してリセット処理を指示したり、ファクシミリ機能装置１１１０がスリープモード（省電力モード）状態の時に、ファックス通信の着信等の入力があった場合にスリープモードを解除して通常動作モードへ移行するスリープモード復帰通知はＵＳＢインタフェースとは別のインタフェースを用いて対応していた。
【００１６】
【発明が解決しようとする課題】
しかし、上記従来の構成においては、ホスト装置１１５０とファクシミリ機能装置１１１０間に、ＵＳＢインタフェースの他に他のインタフェース装置や接続ケーブルを必要とし、他機種への流用や汎用性等の問題を有していた。
【００１７】
また、ＵＳＢインタフェースを介してホスト装置１１５０がファクシミリ機能装置１１１０に対してリセット指示を行うことも可能であるが、この方法ではＵＳＢインタフェースがハングアップした場合にホスト装置１１５０からファクシミリ機能装置１１１０に対してリセット指示ができないという問題を有していた。
【００１８】
そこで、本発明は、ホスト装置からファクシミリ機能装置に対するリセット指示およびスリープモード移行指示やファクシミリ機能装置からホスト装置へのスリープモード復帰通知等をＵＳＢインタフェースのみで可能とする画像処理装置および制御方法を提供することを目的とする。
【００１９】
【課題を解決するための手段】
上記目的を達成するため請求項１の発明は、ホスト装置とファクシミリ機能装置とを有し、前記ホスト装置と前記ファクシミリ機能装置とをユニバーサルシリアルバスインタフェースを介して接続する画像処理装置において、
前記ホスト装置から前記ファクシミリ機能装置に対する制御指示および前記ファクシミリ機能装置から前記ホスト装置に対する制御通知の少なくとも一方を前記ユニバーサルシリアルバスインタフェースを介して行う制御手段
を具備することを特徴とする。
【００２０】
請求項２の発明は、請求項１において前記ホスト装置から前記ファクシミリ機能装置に対する制御指示は、
前記ホスト装置から前記ファクシミリ機能装置に対するスリープモード移行指示であり、
前記ファクシミリ機能装置から前記ホスト装置に対する制御通知は、
前記ファクシミリ機能装置から前記ホスト装置に対するスリープモード復帰通知である
ことを特徴とする。
【００２１】
請求項３の発明は、請求項２において前記制御手段は、
前記ファクシミリ機能装置から前記ホスト装置に対するスリープモード復帰通知を前記ユニバーサルシリアルバスインタフェースのデータラインをプルアップ状態に切り替えることにより行う
ことを特徴とする。
【００２２】
請求項４の発明は、請求項２において前記制御手段は、
前記ファクシミリ機能装置から前記ホスト装置に対するスリープモード復帰通知を前記ユニバーサルシリアルバスインタフェースの電源ラインをハイレベルに切り替えることにより行う
ことを特徴とする。
【００２３】
請求項５の発明は、請求項１において前記ホスト装置から前記ファクシミリ機能装置に対する制御指示は、
前記ホスト装置から前記ファクシミリ機能装置に対するリセット指示である
ことを特徴とする。
【００２４】
請求項６の発明は、請求項５において前記制御指示は、
前記ホスト装置から前記ファクシミリ機能装置に対するリセット指示を前記ユニバーサルシリアルバスインタフェースの電源ラインをローレベルに切り替えることにより行う
ことを特徴とする。
【００２５】
請求項７の発明は、請求項１において前記ホスト装置から前記ファクシミリ機能装置に対する制御指示は、
前記ホスト装置から前記ファクシミリ機能装置に対するリセット指示であり、前記ファクシミリ機能装置から前記ホスト装置に対する制御通知は、
前記ファクシミリ機能装置から前記ホスト装置に対するスリープモード復帰通知である
ことを特徴とする。
【００２６】
請求項８の発明は、請求項７において前記制御指示および制御通知は、
前記ユニバーサルシリアルバスインタフェースの電源ラインの電位を切り替えることにより、前記ファクシミリ機能装置が通常動作時には前記ホスト装置から前記ファクシミリ機能装置に対するリセット指示を行い、前記ファクシミリ機能装置がスリープモード時には前記ファクシミリ機能装置から前記ホスト装置に対するスリープモード復帰通知を行う
ことを特徴とする。
【００２７】
請求項９の発明は、ホスト装置とファクシミリ機能装置とを有し、前記ホスト装置と前記ファクシミリ機能装置とをユニバーサルシリアルバスインタフェースを介して接続する画像処理装置の制御方法において、
前記ホスト装置から前記ファクシミリ機能装置に対する制御指示および前記ファクシミリ機能装置から前記ホスト装置に対する制御通知の少なくとも一方を前記ユニバーサルシリアルバスインタフェースを介して行う
ことを特徴とする。
【００２８】
請求項１０の発明は、請求項９において前記ホスト装置から前記ファクシミリ機能装置に対する制御指示は、
前記ホスト装置から前記ファクシミリ機能装置に対するスリープモード移行指示であり、
前記ファクシミリ機能装置から前記ホスト装置に対する制御通知は、
前記ファクシミリ機能装置から前記ホスト装置に対するスリープモード復帰通知である
ことを特徴とする。
【００２９】
請求項１１の発明は、請求項１０において前記ファクシミリ機能装置から前記ホスト装置に対するスリープモード復帰通知は、前記ユニバーサルシリアルバスインタフェースのデータラインをプルアップ状態に切り替えることにより行われる
ことを特徴とする。
【００３０】
請求項１２の発明は、請求項１０において前記ファクシミリ機能装置から前記ホスト装置に対するスリープモード復帰通知は、前記ユニバーサルシリアルバスインタフェースの電源ラインをハイレベルに切り替えることにより行われる
ことを特徴とする。
【００３１】
請求項１３の発明は、請求項９において前記ホスト装置から前記ファクシミリ機能装置に対する制御指示は、
前記ホスト装置から前記ファクシミリ機能装置に対するリセット指示である
ことを特徴とする。
【００３２】
請求項１４の発明は、請求項１３において前記ホスト装置から前記ファクシミリ機能装置に対するリセット指示は、前記ユニバーサルシリアルバスインタフェースの電源ラインをローレベルに切り替えることにより行われる
ことを特徴とする。
【００３３】
請求項１５の発明は、請求項９において前記ホスト装置から前記ファクシミリ機能装置に対する制御指示は、
前記ホスト装置から前記ファクシミリ機能装置に対するリセット指示であり、
前記ファクシミリ機能装置から前記ホスト装置に対する制御通知は、
前記ファクシミリ機能装置から前記ホスト装置に対するスリープモード復帰通知である
ことを特徴とする。
【００３４】
請求項１６の発明は、請求項１５において前記ユニバーサルシリアルバスインタフェースの電源ラインの電位を切り替えることにより、前記ファクシミリ機能装置が通常動作時には前記ホスト装置から前記ファクシミリ機能装置に対するリセット指示が行われ、前記ファクシミリ機能装置がスリープモード時には前記ファクシミリ機能装置から前記ホスト装置に対するスリープモード復帰通知が行われる
ことを特徴とする。
【００３５】
【発明の実施の形態】
以下、この発明の実施の形態について図面を参照して説明する。
【００３６】
図１は、本発明に係る画像処理装置および制御方法の要部の構成を示すブロック図である。
【００３７】
尚、図１においては、ホスト装置１５０にファクシミリ機能装置１１０を接続した構成を示したが、これに限定されるものではない。
【００３８】
図１において、ファクシミリ機能装置１１０は、画像読み取り機能、プリンタ機能を除くファクシミリ通信、画像メモリー管理、ユーザ登録等のファクシミリ動作の諸機能を実行する。
【００３９】
これらファクシミリ動作の諸機能を実行するために、ファクシミリ機能装置１１０は、図示しない制御プログラム等を記憶するＲＯＭや宛先ダイヤルや通信記録等を記憶するＲＡＭ（不揮発生ＲＡＭを含む）、通信回線とのインタフェースをとるＮＣＵやデータの変復調を行うモデム、省電力を図るための補助電源（電圧３．３Ｖ）等の装置が具備されている。
【００４０】
また、ファクシミリ機能装置１１０は、一定期間、ファクシミリ機能が使われていない時は最小限の電源を供給することにより電力消費量を小さくするスリープモードへ自動的に移行する省電力機能を具備している。
【００４１】
スリープモード状態の時にファックス通信等の着信信号がファクシミリ機能装置１１０に入力されると、ファクシミリ装置１１０は自動的にスリープモードからリジュームモードへ移行するような機能を備えている。
【００４２】
また、ファクシミリ機能装置１１０は、電話回線から受信した画情報をＵＳＢを介してホスト装置１５０へ送信するとともに、ホスト装置１５０からＵＳＢを介して受信した発信宛先情報と画情報を電話回線にファクス通信接続して、発信宛先情報に基づいて宛先に発呼し、画情報を送信する。
【００４３】
ファクシミリ機能装置１１０が電話回線を介して受信した画情報は、ＵＳＢを介してホスト装置１５０へ送信され、ホスト装置１５０に接続されている図示しないプリンタ機能装置により印刷される。
【００４４】
ホスト装置１５０からファクシミリ機能装置１１０へＵＳＢを介して送信されてくる画情報は、ホスト装置１５０に接続されている図示しない画像読取機能装置により画情報が読み込まれホスト装置１５０を介してファクシミリ機能装置１１０へ送信される。
【００４５】
図１に示すように、本発明の実施形態１に係るファクシミリ機能装置１１０の要部の構成は、ＵＳＢインタフェースのポートであるＵＳＢコネクター１１１と、ＵＳＢインタフェースを制御するＵＳＢコントローラ１１２と、ファクシミリ機能装置１１０全体を制御するデバイスコントローラ１１３を有する。
【００４６】
ＵＳＢインタフェースのデータ用信号ライン（Ｄ＋）はプルアップ抵抗側１１４とノーコネクト側１１５の何れかに接続するスイッチＳＷ１２０の機能を有しており、このスイッチＳＷ１２０の切り替えはＵＳＢコントローラ１１２によって制御される。
【００４７】
尚、スイッチＳＷ１２０は、データ転送速度がフルスピードの場合はデータ用信号ライン（Ｄ＋）をプルアップし、データ転送速度がロースピードの場合はデータ用信号ライン（Ｄ−）をプルアップする。
【００４８】
このスイッチＳＷ１２０はリレー方式、トランジスターやＦＥＴ回路方式等、種々の方法が可能であるが特に方法は問わない。
【００４９】
ホスト装置１５０は、ホスト装置１５０全体を制御するホストコントローラ１５３と、ホスト側のＵＳＢインタフェースを制御するＵＳＢコントローラ１５２およびＵＳＢコネクター１５１を有する。
【００５０】
図２は本実施形態１のファクシミリ機能装置１１０がスリープモード時において、ファクシミリ機能装置１１０からホスト装置１５０に対してスリープモード復帰通知を行う場合の制御フロー図である。
【００５１】
図２を参照しながらファクシミリ機能装置１１０がスリープモード時に、スリープモードを解除するためのスリープモード復帰通知をホスト装置１５０に通知する制御方法について説明する。
【００５２】
ファクシミリ機能装置１１０がスリープモード状態の時は、ファクシミリ機能装置１１０は最小限の電源供給で稼動できる必要最小限のファクシミリ機能のみを稼動させて電力消費量を小さくしている。
【００５３】
このスリープモード状態の時に、ファクシミリ機能装置１１０が電話回線を介して画情報の着信信号やフックオフ信号を検知すると、この検知信号はデバイスコントローラ１１３からＵＳＢコントローラ１１２へ伝送される（ステップＳ２００）。
【００５４】
ファクシミリ機能装置１１０のＵＳＢコントローラ１１２は、着信信号若しくはフックオフ信号の検知結果に基づいてＳＷ１２０をプルアップ抵抗側１１４へ接続する（ステップＳ２０１）。
【００５５】
なお、ファクシミリ機能装置１１０がスリープモードの時は、ＳＷ１２０がＵＳＢコントローラ１１２によってノーコネクト側１１５へ接続されている。
【００５６】
ホスト装置１５０側のＵＳＢコントローラ１５２は、スリープモード時でも常時通電されており、データ用信号ライン（Ｄ＋）を監視している。
【００５７】
ホスト側のＵＳＢコントローラ１５２は、データ用信号ライン（Ｄ＋）の信号がプルアップされたことを検知すると、スリープモード復帰信号を生成してホストコントローラ１５３へ伝送する（ステップＳ２０２）。
【００５８】
ホストコントローラ１５３はＵＳＢコントローラ１５２から伝送されたスリープモード復帰信号に基づいてスリープモードを解除するとともに電源を起動して通常動作モードへ移行する（ステップＳ２０３）。
【００５９】
以上の説明は、ファクシミリ機能装置１１０のデータ転送速度がフルスピードである場合の例を示したものである。
【００６０】
図３はファクシミリ機能装置のデータ転送速度がロースピードの場合の例を実施形態２として本発明に係る要部の構成を示したブロック図である。
【００６１】
実施形態２の係る発明は、ファクシミリ機能装置３１０のＵＳＢインタフェースのデータ用信号ライン（Ｄ−）にプルアップ抵抗側３１４とノーコネクト側３１５の何れかに接続するスイッチＳＷ３２０の機能を装着し、このスイッチＳＷ３２０の切り替えをＵＳＢコントローラ３１２によって制御する。
【００６２】
すなわち、本実施の形態においては、ホスト装置３１０は、ファクシミリ機能装置３１０がスリープモード状態の時に、データ用信号ライン（Ｄ−）の信号がプルアップされたことを検知するとスリープモード復帰通知として認識する。
【００６３】
図４は、本実施形態２における制御のフローを示した制御フロー図である。
【００６４】
実施形態２の動作については、ファクシミリ機能装置３１０のプルアップするデータ用信号ラインをＤ−とする他は実施形態１と同様なので詳細説明は省略する。
【００６５】
図５は、ファクシミリ機能装置５１０がスリープモード状態の時に、ファクシミリ機能装置５１０からホスト装置５５０に対してスリープモード復帰通知を行う場合の他の実施形態３における本発明の要部の構成を示すブロック図である。
【００６６】
実施形態３における本発明のファクシミリ機能装置５１０は、ＵＳＢインタフェースを介してホスト装置５５０とデータの送受を行うためのＵＳＢコネクター５１１と、ＵＳＢインタフェースを制御するＵＳＢコントローラ５１２と、図示しない補助電源からファクシミリ機能装置５１０に供給されている電源電圧３．３ＶをＵＳＢ標準規格電圧５．５Ｖまで昇圧するためのＤＣ／ＤＣコンバータ５１４と、ファクシミリ機能装置５１０全体を制御するデバイスコントローラ５１３を有する。
【００６７】
本実施の形態において、ファクシミリ機能装置５１０のＵＳＢインタフェースの電源ライン（Ｖｂｕｓ）は、ＤＣ／ＤＣコンバータ５１４から提供される電源側（５Ｖ）５１７と接地側５１５の何れかに接続するスイッチＳＷ５２０の機能を有しており、このスイッチＳＷ５２０の切り替えはＵＳＢコントローラ５１２によって制御される。
【００６８】
このスイッチＳＷ５２０は、リレー方式、トランジスターやＦＥＴ回路方式等、種々の方法が可能であるが特に方法は問わない。
【００６９】
ホスト装置５５０は、ホスト装置５５０全体を制御するホストコントローラ５５３と、ホスト側のＵＳＢインタフェースを制御するＵＳＢコントローラ５５２およびＵＳＢコネクター５５１と、ＵＳＢインタフェースの電源ライン（Ｖｂｕｓ）の電圧変化を監視する電圧監視装置５５６を有する。
【００７０】
図６は、本実施形態３において本発明のファクシミリ機能装置５１０がスリープモード状態の時に、ファクシミリ機能装置５１０からホスト装置５５０に対してスリープモード復帰通知を行う場合の制御フロー図である。
【００７１】
図６を参照しながらファクシミリ機能装置５１０がスリープモード状態の時に、ファクシミリ機能装置５１０からホスト装置５５０に対してスリープモード復帰通知を行う場合の制御方法について説明する。
【００７２】
スリープモード状態の時に、ファクシミリ機能装置５１０が電話回線を介して画情報の着信信号やフックオフ信号等を検知すると、この検知信号はデバイスコントローラ５１３からＵＳＢコントローラ５１２へ伝送される（ステップＳ６００）。
【００７３】
ＵＳＢコントローラ５１２は着信信号若しくはフックオフ信号の検知結果に基づいてＳＷ５２０をＤＣ／ＤＣコンバータ５１６から供給される電源側（供給電圧：５Ｖ）５１７へ接続する（ステップＳ６０１）。
【００７４】
ファクシミリ機能装置５１０がスリープモードの時は、ＳＷ５２０がＵＳＢコントローラ５１２によって接地側５１５へ接続されている。
【００７５】
ＳＷ５２０がＵＳＢコントローラ５１２によって供給電圧側（５Ｖ）５１７へ接続されると、ホスト装置５５０の電圧監視装置５５４が電源ライン（Ｖｂｕｓ）の電圧変化を検知する。
【００７６】
電圧監視装置５５４は、スリープモード時でも常時通電されており、電源ライン（Ｖｂｕｓ）の電圧変化を監視している。
【００７７】
電源ライン（Ｖｂｕｓ）の電圧が接地電圧（ＬＯＷ）から供給電圧（ＨＩＧＨ）へ変化したことを電圧監視装置５５４が検知すると、電圧監視装置５５４はスリープモード解除信号を生成してホストコントローラ５５３へ送信する。
【００７８】
ホストコントローラ５５３は、スリープモード解除信号に基づいてスリープモードを解除するとともに電源を起動して通常動作モードへ移行する。
【００７９】
以上の説明では、電源ライン（Ｖｂｕｓ）の電圧変化を検知させるために、ファクシミリ機能装置５１０に供給されている補助電源電圧３．３ＶをＵＳＢ標準規格の電源ライン電圧５Ｖまで昇圧させた例を示したが、ファクシミリ機能装置５１０の補助電源電圧３．３Ｖの電圧値をそのまま用いるような構成で実施してもよい。
【００８０】
この場合は、ファクシミリ機能装置５１０およびホスト装置５５０のＵＳＢコントローラ５１２、５５２の双方を電源ライン（Ｖｂｕｓ）電圧３．３Ｖで検知できるような構成とする。
【００８１】
電源ライン（Ｖｂｕｓ）電圧を３．３Ｖで検知できるような制御とすることで、ファクシミリ機能装置５１０のＤＣ／ＤＣコンバータ５１４は不要となる。
【００８２】
本実施形態３では、ファクシミリ機能装置５１０のデータ転送速度がフルスピードである場合の例を示したが、データ転送速度がロースピードの場合のファクシミリ機能装置の場合も動作は同様である。
【００８３】
図７は、ホスト装置７５０からファクシミリ機能装置７１０に対してリセット指示を行う場合の実施形態４の本発明に係る要部の構成を示すブロック図である。
【００８４】
実施形態４の本発明に係るファクシミリ機能装置７１０は、ＵＳＢインタフェースを介してホスト装置７５０とデータの送受を行うためのＵＳＢコネクター７１１と、ＵＳＢインタフェースを制御するＵＳＢコントローラ７１３と、ファクシミリ機能装置７１０全体を制御するデバイスコントローラ７１３とから構成されている。
【００８５】
ホスト装置７５０は、ホスト装置７５０全体を制御するホストコントローラ７５３と、ホスト側のＵＳＢインタフェースを制御するＵＳＢコントローラ７５２およびＵＳＢコネクター７５１と、ＵＳＢインタフェースの電源ライン（Ｖｂｕｓ）を導通する側（５Ｖ）７５４と接地側７５５の何れかに接続するスイッチＳＷ７６０の機能を有しており、このスイッチＳＷ７６０の切り替えはＵＳＢコントローラ７５２によって制御される。
【００８６】
このスイッチＳＷ７２０は、リレー方式、トランジスターやＦＥＴ回路方式等、種々の方法が可能であるが特に方法は問わない。
【００８７】
図８は本実施形態４のホスト装置７５０からファクシミリ機能装置７１０に対してリセット指示を行う場合の制御フロー図である。
【００８８】
図８を参照しながらホスト装置７５０からファクシミリ機能装置７１０に対してリセット指示を行う場合の制御方法について説明する。
【００８９】
通常、ホスト装置７５０とファクシミリ機能装置７１０とがＵＳＢインタフェースで接続されている場合は、ホスト装置７５０のＵＳＢインタフェースの電源ライン（Ｖｂｕｓ）からファクシミリ機能装置７１０のＵＳＢインタフェースの電源ライン（Ｖｂｕｓ）へ５Ｖ、５００ｍＡ迄の電源供給がなされている。
【００９０】
図８に示すように、ホスト装置７５０からファクシミリ機能装置７１０に対してリセット指示を行う場合は、ホスト装置７５０のＵＳＢコントローラ７５２はＳＷ７６０を一定期間、接地側７５５へ接続した後、導通側（５Ｖ）７５４へ接続する（ステップＳ８００／ＹＥＳ、ステップＳ８０１）。
【００９１】
通常、ホスト装置７５０とファクシミリ機能装置７１０とがＵＳＢインタフェースで接続されている場合は、ＵＳＢコントローラ７５２によってＳＷ７６０が導通側（５Ｖ）７５４へ接続されている。
【００９２】
ＵＳＢコントローラ７５２によってＳＷ７６０が一定期間、接地側７５５へ接続されると、ファクシミリ機能装置７１０のＵＳＢインタフェースの電源ライン（Ｖｂｕｓ）の電圧値が一定期間、接地電圧（ＬＯＷ）となる。
【００９３】
ファクシミリ機能装置７１０のＵＳＢコントローラ７１２はＵＳＢインタフェースの電源ライン（Ｖｂｕｓ）の電圧変化を監視し、電源ライン（Ｖｂｕｓ）の電圧が一定期間、ＬＯＷの値を検知したらリセット指示信号を生成してデバイスコントローラ７１３へ送信する（ステップＳ８０２／ＹＥＳ）。
【００９４】
また、もちろんＵＳＢコントローラ７１２に電圧監視機能がなければ、図５と同様の電圧監視装置で電圧変化を監視し、ＬＯＷの電圧値を検知したらリセット信号をデバイスコントローラ７１３へ送信することになる。
【００９５】
デバイスコントローラ７１３はリセット指示信号に基づいてファクシミリ機能装置７１０のリセット処理を行う（ステップＳ８０３）。
【００９６】
本実施形態４では、ファクシミリ機能装置７１０のデータ転送速度がフルスピードである場合の例を示したが、データ転送速度がロースピードの場合のファクシミリ機能装置の場合も動作は同様なので説明は省略する。
【００９７】
図９はファクシミリ機能装置９１０が通常動作の時にホスト装置９５０からファクシミリ機能装置９１０に対してリセット指示を行い、ファクシミリ機能装置９１０がスリープモードの時にファクシミリ機能装置９１０からホスト装置９５０に対してスリープモード復帰通知を行う場合の実施形態５に係る本発明の要部の構成を示すブロック図である。
【００９８】
実施形態５における本発明のファクシミリ機能装置９１０は、ＵＳＢインタフェースを介してホスト装置９５０とデータの送受を行うためのＵＳＢコネクター９１１と、ＵＳＢインタフェースを制御するＵＳＢコントローラ９１３と、図示しない補助電源からファクシミリ機能装置９１０に供給されている電源電圧３．３ＶをＵＳＢ標準規格電圧５．５Ｖまで昇圧するためのＤＣ／ＤＣコンバータ９１４と、ファクシミリ機能装置９１０全体を制御するデバイスコントローラ９１３とから構成されている。
【００９９】
ＵＳＢインタフェースの電源ライン（Ｖｂｕｓ）はＤＣ／ＤＣコンバータ９１４から提供される電源側（５Ｖ）９１４と接地側９１５の何れかに接続するスイッチＳＷ９２０の機能を有しており、このスイッチＳＷ９２０の切り替えはＵＳＢコントローラ９１２によって制御される。
【０１００】
ホスト装置９５０は、ホスト装置９５０全体を制御するホストコントローラ９５３と、ホスト側のＵＳＢインタフェースを制御するＵＳＢコントローラ９５２およびＵＳＢコネクター９５１と、ＵＳＢインタフェースの電源ライン（Ｖｂｕｓ）の電圧変化を監視する電圧監視装置９５４と、ＵＳＢインタフェースの電源ライン（Ｖｂｕｓ）を導通する側（５Ｖ）９５４と接地側９５５の何れかに接続するスイッチＳＷ９６０の機能を有しており、このスイッチＳＷ９６０の切り替えはＵＳＢコントローラ９５２によって制御される。
【０１０１】
スイッチＳＷ９２０およびＳＷ９６０は、リレー方式、トランジスターやＦＥＴ回路方式等、種々の方法が可能であるが特に方法は問わない。
【０１０２】
図１０は、本実施形態５のファクシミリ機能装置９１０が通常動作の時にホスト装置９５０からファクシミリ機能装置９１０に対してリセット指示を行い、ファクシミリ機能装置９１０がスリープモードの時にファクシミリ機能装置９１０からホスト装置９５０に対してスリープモード復帰通知を行う場合の制御フロー図である。
【０１０３】
図１０を参照しながらリセット指示およびスリープモード復帰通知を行う場合の制御方法について説明する。
【０１０４】
通常、ホスト装置９５０とファクシミリ機能装置９１０とがＵＳＢインタフェースで接続されている場合は、ホスト装置９５０のＵＳＢインタフェースの電源ライン（Ｖｂｕｓ）からファクシミリ機能装置９１０のＵＳＢインタフェースの電源ライン（Ｖｂｕｓ）へ５Ｖ、５００ｍＡ迄の電源供給がなされている。
【０１０５】
図１０（ａ）に示すように、ファクシミリ機能装置９１０が通常動作の時にホスト装置９５０からファクシミリ機能装置９１０に対してリセット指示を行う場合は、ホスト装置９５０のＵＳＢコントローラ９５２はＳＷ９６０を一定期間、接地側９５５へ接続した後、導通側（５Ｖ）９５４へ接続する（ステップＳ１０００／ＹＥＳ、ステップＳ１００１）。
【０１０６】
通常、ホスト装置９５０とファクシミリ機能装置９１０とがＵＳＢインタフェースで接続されている場合は、ホストコントローラ９５３によってＳＷ９６０が導通側（５Ｖ）９５４へ接続されている。
【０１０７】
ホストコントローラ９５３によってＳＷ９６０が一定期間、接地側９５５へ接続されると、ファクシミリ機能装置９１０のＵＳＢインタフェースの電源ライン（Ｖｂｕｓ）の電圧値が一定期間、接地電圧（ＬＯＷ）となる。
【０１０８】
ファクシミリ機能装置９１０のＵＳＢコントローラ９１２はＵＳＢインタフェースの電源ライン（Ｖｂｕｓ）の電圧変化を監視し、電源ライン（Ｖｂｕｓ）の電圧が一定期間、ＬＯＷの値を検知したらリセット指示信号を生成してデバイスコントローラ９１３へ送信する（ステップＳ１００２）。
【０１０９】
デバイスコントローラ９１３はリセット指示信号に基づいてファクシミリ機能装置９１０のリセット処理を行う（ステップＳ１００３）。
【０１１０】
図１０（ｂ）に示すようにファクシミリ機能装置９１０がスリープモード状態の時は、ファクシミリ機能装置９１０が電話回線を介して画情報の着信信号やフックオフ信号を検知すると、この検知信号はデバイスコントローラ９１３からＵＳＢコントローラ９１２へ伝送される（ステップＳ１１００／ＹＥＳ）。
【０１１１】
ＵＳＢコントローラ９１２は着信信号若しくはフックオフ信号の検知結果に基づいてＳＷ９２０をＤＣ／ＤＣコンバータ９１４から供給される電源側（供給電圧：５Ｖ）９１４へ接続する（ステップＳ１１０１）。
【０１１２】
ファクシミリ機能装置９１０がスリープモードの時は、ＵＳＢコントローラ９１２によってＳＷ９２０が接地側９１５へ接続されている。
【０１１３】
ＵＳＢコントローラ９１２によってＳＷ９２０が供給電圧側（５Ｖ）９１４へ接続されると、ホスト装置９５０の電圧監視装置９５４が電源ライン（Ｖｂｕｓ）の電圧変化を検知する。
【０１１４】
電圧監視装置９５４は、スリープモード時においても常時通電されており、電源ライン（Ｖｂｕｓ）の電圧変化を監視している。
【０１１５】
電圧監視装置９５４は、電源ライン（Ｖｂｕｓ）の電圧が接地電圧（ＬＯＷ）から供給電圧（ＨＩＧＨ）へ変化したことを検知すると、スリープモード解除信号を生成してホストコントローラ９５３へ送信する。
【０１１６】
ホストコントローラ９５３は、スリープモード解除信号に基づいてスリープモードを解除するとともに電源を起動して通常動作モードへ移行する（ステップＳ１１０３）。　以上の説明では、電源ライン（Ｖｂｕｓ）の電圧変化を検知させるために、ファクシミリ機能装置９１０に供給されている電圧３．３ＶをＵＳＢ標準規格の電源ライン電圧５Ｖまで昇圧させた例を示したが、ファクシミリ機能装置９１０に供給されている電圧３．３Ｖの電圧値をそのまま用いるような構成で実施してもよい。
【０１１７】
その場合は、ファクシミリ機能装置９１０およびホスト装置９５０のＵＳＢコントローラ９１２、９５２の双方が電源ライン（Ｖｂｕｓ）電圧３．３Ｖで検知できるような構成とする。
【０１１８】
電源ライン（Ｖｂｕｓ）電圧が３．３Ｖで検知できるような制御とすることで、ファクシミリ機能装置９１０のＤＣ／ＤＣコンバータ９１４は不要となる。
【０１１９】
本実施形態５では、ファクシミリ機能装置９１０のデータ転送速度がフルスピードである場合の例を示したが、データ転送速度がロースピードの場合のファクシミリ機能装置の場合も動作は同様である。
【０１２０】
【発明の効果】
以上説明したように本発明によれば、従来、ホスト装置からファクシミリ機能装置に対するリセット指示およびスリープモード移行指示やファクシミリ機能装置からホスト装置へのスリープモード復帰通知はＵＳＢインタフェースとは他のインタフェースを介して行っていた制御をＵＳＢインタフェースのみで可能となる。
【０１２１】
このことにより、ＵＳＢインタフェースとは他のインタフェースを不要とし、ファクシミリ機能装置およびホスト装置の簡略化と汎用性が大きくなる。
【０１２２】
また、ＵＳＢインタフェースがハングアップした時でもファクシミリ機能装置のリセットが可能となり、電源をＯＮ／ＯＦＦすることなくＭ／Ｃを正常復帰させることが可能となる。
【図面の簡単な説明】
【図１】本発明に係る画像処理装置および制御方法の要部の構成を示すブロック図である。
【図２】実施形態１の制御フロー図である。
【図３】実施形態２の本発明に係る要部の構成を示したブロック図である。
【図４】実施形態２の制御フロー図である。
【図５】実施形態３の本発明に係る要部の構成を示したブロック図である。
【図６】実施形態３の制御フロー図である。
【図７】実施形態４の本発明に係る要部の構成を示したブロック図である。
【図８】実施形態４の制御フロー図である。
【図９】実施形態５の本発明に係る要部の構成を示したブロック図である。
【図１０】実施形態５の制御フロー図である。
【図１１】従来のホスト装置とファックス機能装置間とのインタフェース接続の要部の構成を示したブロック図である。
【符号の説明】
１１０　　ファクシミリ機能装置
１１１　　ＵＳＢコネクター（ファクシミリ機能装置側）
１１２　　ＵＳＢコントローラ（ファクシミリ機能装置側）
１１３　　デバイスコントローラ
１５０　　ホスト装置
１５１　　ＵＳＢコネクター（ホスト装置側）
１５２　　ＵＳＢコントローラ（ホスト装置側）
１５３　　ホストコントローラ
ＳＷ１２０　　スイッチ機能
【図１】
2004112065.tif 000003
【図２】
2004112065.tif 000004
【図３】
2004112065.tif 000005
【図４】
2004112065.tif 000006
【図５】
2004112065.tif 000007
【図６】
2004112065.tif 000008
【図７】
2004112065.tif 000009
【図８】
2004112065.tif 000010
【図９】
2004112065.tif 000011
【図１０】
2004112065.tif 000012
【図１１】
2004112065.tif 000013